(57)【要約】      （修正有）【課題】ユーザーによる不正行為が行ないにくい、位置情報に基づくコンテンツ提供方法、プログラムを提供する。【解決手段】ユーザーは、携帯情報端末と共にスマートタグ装置を携帯する。ユーザーによるスマートタグ装置の操作をトリガーとして携帯情報端末が、現在の位置情報とコンテンツ再生要求を認証サーバーに送信する。認証サーバーは位置情報に基づいてコンテンツ再生の可否を決定し、再生が許可された場合には、携帯情報端末に対して、コンテンツ・サーバーから所定のコンテンツを配信する。所定以上の人数が集まったときのみコンテンツを再生するなどの追加の条件を設定してもよい。【選択図】図３
2020052461.tif 000002
【特許請求の範囲】
【請求項１】
スマートタグと携帯情報端末と認証サーバーとを含むシステム上で実行される方法であって、
前記スマートタグが、前記携帯情報端末上のプログラムを起動する起動ステップと、
前記プログラムが、前記携帯情報端末の位置情報を取得する位置情報取得ステップと、
前記プログラムが、前記位置情報を前記認証サーバーに送信する位置情報送信ステップと、
前記認証サーバーが、前記位置情報に基づいて所定のアクションの実行の可否を決定する判定ステップとを含む方法。
【請求項２】
前記所定のアクションは、前記携帯情報端末への情報配信である請求項１に記載の方法。
【請求項３】
さらに、前記スマートタグが、前記スマートタグの識別情報を前記携帯情報端末上のプログラムに送信する識別情報送信ステップを含み、
前記判定ステップが、さらに、前記認証サーバーが、前記識別情報に基づいて前記所定のアクションの実行の可否を決定するステップを含む請求項１または請求項２に記載の方法。
【請求項４】
前記起動ステップは、前記携帯情報端末が所定のビーコン装置の近隣に位置することをトリガーとする請求項１、請求項２、または、請求項３に記載の方法。
【請求項５】
前記起動ステップは、前記携帯情報端末が所定の場所に位置することをトリガーとする請求項１、請求項２、または、請求項３に記載の方法。
【請求項６】
前記起動ステップは、前記スマートタグが内蔵するセンサーの読取り値が所定の条件を満足したことをトリガーとする請求項１、請求項２、または、請求項３に記載の方法。
【請求項７】
前記判定ステップが、さらに、所定の数以上のスマートタグからの識別情報を受信したことを条件として前記所定のアクションの実行の可否を決定するステップを含む請求項１、請求項２、請求項３、請求項４、請求項５、または、請求項６に記載の方法。
【請求項８】
スマートタグと携帯情報端末と認証サーバーとを含むシステム上で実行されるプログラムであって、
前記スマートタグに前記携帯情報端末上のプログラムを起動させる起動命令群と、
前記携帯情報端末に前記携帯情報端末の位置情報を取得させる位置情報取得命令群と、
前記携帯情報端末に前記位置情報を前記認証サーバーに送信させる位置情報送信命令群と、
前記認証サーバーに前記位置情報に基づいて所定のアクションの実行の可否を決定させる判定命令群とをコンピューターに実行させるプログラム。
【請求項９】
前記所定のアクションは、前記携帯情報端末への情報配信である請求項８に記載のプログラム。
【請求項１０】
さらに、前記スマートタグに前記スマートタグの識別情報を前記携帯情報端末上のプログラムに送信させる識別情報送信命令群を含み、
前記判定命令群が、さらに、前記認証サーバーに前記識別情報に基づいて前記所定のアクションの実行の可否を決定さえる命令群を含む請求項８または請求項９に記載のプログラム。
【請求項１１】
前記起動命令群は、前記携帯情報端末が所定のビーコン装置の近隣に位置することをトリガーとする請求項８、請求項９、または、請求項１０に記載のプログラム。
【請求項１２】
前記起動命令群は、前記携帯情報端末が所定の場所に位置することをトリガーとする請求項８、請求項９、または、請求項１０に記載のプログラム。
【請求項１３】
前記起動命令群は、前記スマートタグが備えるセンサーの読取り値が所定の条件を満足したことをトリガーとする請求項８、請求項９、または、請求項１０に記載のプログラム。
【請求項１４】
前記判定命令群が、さらに、所定の数以上のスマートタグからの識別情報を受信したことを条件として前記所定のアクションの実行の可否を決定する命令群を含む請求項８、請求項９、請求項１０、請求項１１、請求項１２、または、請求項１３に記載のプログラム。
【発明の詳細な説明】
【技術分野】
【０００１】
本願発明はスマートタグ、特に、携帯情報端末に対するコンテンツ表示を制御するためのスマートタグに関する。
【背景技術】
【０００２】
位置情報を使用して、スマートフォンなどの携帯情報端末に対して特定の場所で特定のコンテンツを提供する技術が知られている（たとえば、特許文献１、特許文献２）。この種の技術を使用して、たとえば、携帯情報端末のGPSなどの情報を利用して、特定の広告コンテンツやゲームのキャラクターを、特定の場所にいる者にだけ表示することが可能である。この種の技術により、デジタルな世界だけではなく、物理的な世界で実際にその場所に人を呼び集めることができることから、集客効果やゲームのおもしろさを高めることができる。
【０００３】
しかし、特に一般消費者向け分野では、携帯情報端末のアプリは容易にコピーされてしまうこと、また、GPSの情報を操作するためのアプリが提供されていることなどにより、一部ユーザーがコンテンツ提供者の意図に反した行為、たとえば、実際にその場所にいないのにGPSを操作することでコンテンツを視聴する、あるいは、他人のアプリを不正コピーして見る権限がないコンテンツを視聴するなどの行為を行なってしまい、コンテンツによる収益や広告効果が損なわれるという問題があった。たとえば、コンサートなどの特定のイベントの来客だけに特別なコンテンツを提供することで、集客効果を高めようとしても、アプリの不正コピー等により、コンサート主催者の意図が蔑ろにされることがあった。
【０００４】
一方、スマートタグと呼ばれるキーホルダー状の装置が知られている（たとえば、非特許文献３）。スマートタグは、Bluetooth（登録商標）やBLE（Bluetooth Low Energy）などの近距離無線技術を使ってスマートフォンなどの携帯情報端末とやり取りできる。典型的には、キーホルダーとして使用し、鍵などが見つからなくなったときに携帯情報端末を使用して場所を探す、あるいは、貴重品に付けて貴重品が携帯情報端末から一定の距離以上離れたときに携帯情報端末あるいはスマートタグ自身から警告音を鳴らすなどの目的で使用される。スマートタグはハードウェア装置であることから、Android（登録商標）やiOS（登録商標）などの汎用OSが稼働する携帯情報端末と比較して、ユーザーによる不正操作が行ないにくいという特徴がある。
【先行技術文献】
【特許文献】
【０００５】
【特許文献１】特許公開公報  特開2011-160934
【特許文献２】特許公開公報  特開2010-26546
【非特許文献】
【０００６】
「忘れ物を防げるスマートタグQrio Smart Tag  ソニーのデザインチームが参加」（ITmedia NEWS）（http://www.itmedia.co.jp/news/articles/1605/31/news106.html）
【発明の概要】
【発明が解決しようとする課題】
【０００７】
ユーザーによる不正行為が行ないにくい、位置情報に基づくコンテンツ提供方法、および、プログラムを提供する。
【課題を解決するための手段】
【０００８】
本願発明は、スマートタグと携帯情報端末と認証サーバーとを含むシステム上で実行される方法であって、前記スマートタグが、前記携帯情報端末上のプログラムを起動する起動ステップと、前記プログラムが、前記携帯情報端末の位置情報を取得する位置情報取得ステップと、前記プログラムが、前記位置情報を前記認証サーバーに送信する位置情報送信ステップと、前記認証サーバーが、前記位置情報に基づいて所定のアクションの実行の可否を決定する判定ステップとを含む方法を提供することで上記課題を解決する。
【０００９】
また、本願発明は、前記所定のアクションは、前記携帯情報端末への情報配信である段落０００８に記載の方法を提供することで上記課題を解決する。
【００１０】
また、本願発明は、さらに、前記スマートタグが、前記スマートタグの識別情報を前記携帯情報端末上のプログラムに送信する識別情報送信ステップを含み、前記判定ステップが、さらに、前記認証サーバーが、前記識別情報に基づいて前記所定のアクションの実行の可否を決定するステップを含む段落０００８または段落０００９に記載の方法を提供することで上記課題を解決する。
【００１１】
また、本願発明は、前記起動ステップは、前記携帯情報端末が所定のビーコン装置の近隣に位置することをトリガーとする段落０００８、段落０００９、または、段落００１０に記載の方法を提供することで上記課題を解決する。
【００１２】
また、本願発明は、前記起動ステップは、前記携帯情報端末が所定の場所に位置することをトリガーとする段落０００８、段落０００９、または、段落００１０に記載の方法を提供することで上記課題を解決する。
【００１３】
また、本願発明は、前記起動ステップは、前記スマートタグが備えるセンサーの読取り値が所定の条件を満足したことをトリガーとする段落０００８、段落０００９、または、段落００１０に記載の方法を提供することで上記課題を解決する。
【００１４】
また、本願発明は、前記判定ステップが、さらに、所定の数以上のスマートタグからの識別情報を受信したことを条件として前記所定のアクションの実行の可否を決定するステップを含む段落０００８、段落０００９、段落００１０、段落００１１、段落００１２、または、段落００１３に記載の方法を提供することで上記課題を解決する。
【００１５】
また、本願発明は、スマートタグと携帯情報端末と認証サーバーとを含むシステム上で実行されるプログラムであって、前記スマートタグに前記携帯情報端末上のプログラムを起動させる起動命令群と、前記携帯情報端末に前記携帯情報端末の位置情報を取得させる位置情報取得命令群と、前記携帯情報端末に前記位置情報を前記認証サーバーに送信させる位置情報送信命令群と、前記認証サーバーに前記位置情報に基づいて所定のアクションの実行の可否を決定させる判定命令群とをコンピューターに実行させるプログラムを提供することで上記課題を解決する。
【００１６】
また、本願発明は、前記所定のアクションは、前記携帯情報端末への情報配信である段落００１５に記載のプログラムを提供することで上記課題を解決する。
【００１７】
また、本願発明は、さらに、前記スマートタグに前記スマートタグの識別情報を前記携帯情報端末上のプログラムに送信させる識別情報送信命令群を含み、前記判定命令群が、さらに、前記認証サーバーに前記識別情報に基づいて前記所定のアクションの実行の可否を決定さえる命令群を含む段落００１５または段落００１６に記載のプログラムを提供することで上記課題を解決する。
【００１８】
また、本願発明は、前記起動命令群は、前記携帯情報端末が所定のビーコン装置の近隣に位置することをトリガーとする段落００１５、段落００１６、または、段落００１７に記載のプログラムを提供することで上記課題を解決する。
【００１９】
また、本願発明は、前記起動命令群は、前記携帯情報端末が所定の場所に位置することをトリガーとする段落００１５、段落００１６、または、段落００１７に記載のプログラムを提供することで上記課題を解決する。
【００２０】
また、本願発明は、前記起動命令群は、前記スマートタグが備えるセンサーの読取り値が所定の条件を満足したことをトリガーとする段落００１５、段落００１６、または、段落００１７に記載のプログラムを提供することで上記課題を解決する。
【００２１】
また、本願発明は、前記判定命令群が、さらに、所定の数以上のスマートタグからの識別情報を受信したことを条件として前記所定のアクションの実行の可否を決定する命令群を含む段落００１５、段落００１６、段落００１７、段落００１８、段落００１９、または、段落００２０に記載のプログラムを提供することで上記課題を解決する。
【発明の効果】
【００２２】
ユーザーによる不正行為が行ないにくい、位置情報に基づくコンテンツ提供方法、および、プログラムが提供される。
【図面の簡単な説明】
【００２３】
【図１】本願発明に係るコンテンツ提供システムの第一の実施例の全体図である。
【図２】本願発明に係るコンテンツ提供システムの実施例で使用されるスマートタグと携帯情報端末の機能構成図である。
【図３】本願発明に係るコンテンツ提供方法の第一の実施例のフローチャートである。
【図４】本願発明に係るコンテンツ提供システムの第二の実施例の全体図である。
【図５】本願発明に係るコンテンツ提供方法の第二の実施例のフローチャートである。
【図６】本願発明に係るコンテンツ提供方法の第三の実施例のフローチャートである。
【発明を実施するための形態】
【００２４】
以下に図を参照しながら本願発明の実施例について説明する。図はすべて例示である。
【００２５】
図１に本願発明に係るコンテンツ提供システムの第一の実施例の全体図を示す。
【００２６】
携帯情報端末（101）は、スマートフォンやタブレットなどのコンピューター機器であり、ユーザー（103）に対してコンテンツを表示する。Bluetooth（登録商標）やBLE（Bluetooth Low Energy）等の近距離無線技術を使用してスマートタグ（102）とやり取りし、携帯通信網や無線LAN等のネットワーク(104)を通じて、コンテンツ・サーバー（105）および認証サーバー（106）とやり取りすることが望ましい。
【００２７】
スマートタグ（102）は、ユーザー（103）が携帯情報端末（101）と共に携帯する小型の機器であり、キーホルダー、携帯電話用ストラップ、ペンダントなどの形状であってもよい。また、人形、玩具、文房具、団扇、扇子、アクセサリーなどの商品（たとえば、コンサート会場などで販売されるアーティストグッズ）にスマートタグ（102）の機能を埋め込んでもよい。スマートタグ（102）は、AndroidやiOSなどの汎用OSを使用せず、ユーザーによる改竄が困難な構造となっていることが望ましい。
【００２８】
ユーザー（103）はコンテンツを視聴する主体であり、携帯情報端末（101）とスマートタグ（102）を共に携帯して移動する。
【００２９】
コンテンツ・サーバー（105）は、携帯情報端末（101）に対して、典型的にはストリーミング再生のための動画コンテンツを提供する手段であり、サーバー・コンピューター装置、ストレージ装置、および、関連ソフトウェアによって実現されていてよい。コンテンツ・サーバー（105）が提供するコンテンツはストリーミング動画だけではなく、画像、音楽、音声、ゲームの特定キャラクターのデータ、特定のプログラム（アプリ）、インストール済特定のプログラムの動作を制御するためのアクセスコード等であってもよい。また、コンテンツの提供先は携帯情報端末（101）に限られず、デジタル・サイネージ、建物に設置された大型ディスプレイ、噴水の制御装置、花火の制御装置等の外部機器（図示していない）であってもよい。
【００３０】
認証サーバー（106）は、携帯情報端末（101）が送信した位置情報やユーザー識別子等に基づいて、コンテンツ配信の可否を決定する手段であり、サーバー・コンピューター装置、ストレージ装置、および、関連ソフトウェアによって実現されていてよい。通常、認証サーバー（106）の認証データの内容は、ユーザー（103）による申し込みやイベントチケット等の購買を条件として、事前にシステム運営者によって設定されている。コンテンツ・サーバー（105）と認証サーバー（106）はクラウド（107）上で稼働されていてもよい。また、コンテンツ・サーバー（105）と認証サーバー（106）が物理的に同じサーバー機器であってもよく、ひとつのプログラムがコンテンツ・サーバー（105）と認証サーバー（106）の機能を提供する構成であってもよい。
【００３１】
図２に本願発明に係るコンテンツ提供システムの実施例で使用されるスマートタグと携帯情報端末の機能構成図を示す。
【００３２】
携帯情報端末（101）は、スマートタグ通信部（201）、コンテンツ・サーバー通信部（202）、位置情報取得部（203）、コンテンツ再生部（204）、および、ストアビーコン通信部（205）を含んでいてよい。スマートタグ通信部（201）は、BluetoothやBLE等の近距離無線技術を介してスマートタグ（102）との通信を行なうためのハードウェアおよびソフトウェアである。ペアリング等の手段により、事前に特定のスマートタグ（102）とのみ通信できるように設定されていることが望ましい。コンテンツ・サーバー通信部（202）は、携帯通信網や無線LAN等のネットワーク（104）を介して、コンテンツ・サーバー（106）との通信を行ない、典型的にはストリーミング再生のために動画コンテンツを受信するハードウェアおよびソフトウェアである。位置情報取得部（203）は、GPSや無線LAN基地局等を使用して、携帯情報端末（101）の現在位置を取得するためのハードウェアおよびソフトウェアである。コンテンツ再生部（204）はコンテンツ・サーバー（106）から受信したコンテンツを再生する手段である。コンテンツ再生はストリーミング動画再生に限定されず、音楽、音声、ゲームにおける特定のキャラクターの登場、プログラム（アプリ）のダウンロードの起動、または、インストール済プログラムの機能解除（たとえば、広告の非表示化）等であってもよい。これらの構成要素は一般的なスマートフォンやタブレット端末のハードウェアとOS、および、典型的にはコンテンツ提供者が提供するアプリケーション・プログラム（アプリ）によって実現されてよい。なお、前述のとおり、コンテンツの再生を携帯情報端末（101）のコンテンツ再生部（204）ではなく、別の機器上で行なうようにしてもよい。ビーコン装置通信部（205）は、後述のビーコン装置との通信を（典型的にはBLEによって）行なうハードウェアとソフトウェアである。
【００３３】
スマートタグ（102）は、携帯情報端末通信部（211）、携帯情報端末プログラム起動部（212）、および、固有識別子保存部（207）を含んでいてよい。携帯情報端末通信部（211）は、典型的にはBluetoothまたはBLE等により、携帯情報端末（101）と通信を行なう手段である。携帯情報端末プログラム起動部（212）は、携帯情報端末（101）上で稼働するプログラムを起動する、または、起動済のプログラムに指令を送り、固有識別子等の情報を送信する手段である。起動は、スマートタグ（102）上にある物理的なボタンの押下をトリガーとしてもよい。固有識別子保存部（213）は、スマートタグ（102）の個体ごとにユニークな識別子を永続的に保存するメモリーであり、通常はスマートタグ（102）の製造者によって設定される。これらの各構成要素は組み込み型のコンピューターにより実現されていてよいが、そのソフトウェアやハードウェア（特に、固有識別子保存部（207）に保存された識別子）はユーザーによる改変が不可能な設計（タンパープルーフ）となっていることが望ましい。加えて、スマートタグ（102）は、加速度センサー、温度センサー、音響センサー、光センサーなどの追加のセンサーを備えていてもよい。
【００３４】
図２に示した携帯情報端末（101）とスマートタグ（102）の機能の割り振りは一例であり、他の構成が使用されていてもよい。たとえば、スマートタグ（102）が位置情報取得部（203）やビーコン装置通信部（205）等を含む構成であってもよい。
【００３５】
図３に本願発明に係るコンテンツ提供方法の実施例のフローチャートを示す。スマートタグ（102）はボタンの押下をチェックし（S301）、押下が検知された時に固有識別子保存部（213）に保存されていた自分自身の識別子を、スマートタグ通信部（201）を介して、携帯情報端末（101）で稼働するアプリケーション・プログラムに送信する（S302）。なお、携帯情報端末（101）とスマートタグ（102）とがBluetoothで通信している場合には、事前にペアリング処理が終了していることが望ましい。携帯情報端末（101）で稼働するアプリケーション・プログラムは位置情報取得部（203）により携帯情報端末（101）の現在位置を取得し（S303）、受信したスマートタグ（102）識別子と位置情報とをコンテンツ・サーバー通信部（202）を介して、コンテンツ・サーバー（105）に送信する（S304）。
【００３６】
コンテンツ・サーバー（105）は、受信したスマートタグ（102）とビーコン（104）の識別子の組み合わせが登録済の正当なものであるかを認証サーバー（106）に問い合わせる（S305）。識別子の組み合わせが登録済の正当なものであった場合には（S306）、コンテンツ・サーバー（105）が、ストリーミング動画等のコンテンツを携帯情報端末（101）に提供し、ユーザー（103）は当該コンテンツを視聴できる（S307）。識別子の組み合わせが登録済でなかった場合には、コンテンツ・サーバー（106）によるコンテンツの提供は行なわれず、ユーザー（103）はコンテンツを視聴できない。この場合には、所定のエラー・メッセージを携帯情報端末（101）に表示することが望ましい。コンテンツの視聴が動画の再生に限られないこと、および、動画の再生場所が携帯情報端末（101）に限られないこと、は前述のとおりである。
【００３７】
コンサートで販売されるアーティストグッズ（キーホルダーや携帯ストラップ等）に本願発明に係るスマートタグの機能を備えさせることで、そのグッズを持っている人だけが、特定の場所に行った時にコンテンツを視聴可能にすることができる。コンテンツの提供の可否を決定するにあたって日付や時刻等の条件を追加してもよい。たとえば、特定の記念日（たとえば、アーティストの誕生日）に特定の場所でのみ限定的なコンテンツをスマートタグの所有者のみに提供することが可能となる。
【００３８】
万一、スマートタグを所有していない者にコンテンツ・サーバーのURLが知られたとしても、スマートタグに固有のIDによる認証を行なうことから、コンテンツの視聴を行なうことはできないため、限定的コンテンツを視聴する手段としてのスマートタグの商品性が向上する。なお、コンテンツのアクセス制御に一般的なユーザーIDとパスワードによる方式を使用すると、正規のユーザーであっても（少なくとも最初の）ログオン時に、ユーザーIDとパスワードの入力が必要となり、視聴の手順が煩雑になると共に、ユーザーが自分のユーザーIDとパスワードを他人に漏洩するという問題が発生し得るが、本願発明の方法ではそのような問題はない。
【００３９】
図４に本願発明に係る第二の実施例の全体図を示す。携帯情報端末（101）、スマートタグ（102）、ユーザー（103）、ネットワーク（104）、コンテンツ・サーバー（105）、認証サーバー（106）、および、クラウド（107）は第一の実施例（図１）と同様である。ビーコン装置（401）は、店舗やイベント会場などの特定の場所に設置される専用機器であり、BLEなどの近距離無線技術を使用して携帯情報端末（101）のビーコン装置通信部（205）と通信する。BLEが備えるブロードキャスティング等の仕組みにより、携帯情報端末（101）はビーコン装置（401）の通信範囲内（402）に入ったことで、自分がビーコン装置（401）の近隣にいることを判断可能である。ビーコン装置（401）には、固有の識別子が割り当てられており、携帯情報端末（101）がどのビーコン装置（401）の近辺に来たかを識別できるようになっていることが望ましい。
【００４０】
図５に本願発明に係る第二の実施例の概要フローチャートを示す。第一の実施例との相違は、ユーザーがスマートタグのボタンを押下することなしに、ビーコン装置（401）の通信範囲（402）内に、携帯情報端末（101）が入っただけで、自動的にプログラムが起動される点である（S501、S502）。スマートタグ（102）がビーコン装置通信部（205）を含む構成の場合には、ビーコン装置（401）の通信範囲（402）内に、スマートタグ（102）が入っただけで、自動的にプログラムが起動される。携帯情報端末の現在位置取得（S503）は、位置取得部（203）によらず、ビーコン装置（401）の固有識別子に基づいて行なってもよい。その他の処理、および、代替の処理については第一の実施例と同様である。
【００４１】
代替の構成として、コンテンツ再生のトリガーを、位置情報取得部（203）に一定間隔ごとに問い合わせることにより得られる現在位置情報に基づいて自動的に行なうようにしてもよい。この場合には、ビーコン装置（401）の設置を行なわなくても、特定の場所に行っただけでコンテンツ再生のトリガーとすることができる。
【００４２】
図6に本願発明に係る第三の実施例の概要フローチャートを示す。第三の実施例は、特定の場所において所定の数以上のユーザーからの要求があった場合にのみ、個々のユーザーに対するコンテンツ再生の許可を行なう点（S607）で、第一の実施例と異なる。複数ユーザーがまったく同時に要求を行なうことはないため、実際には、特定の時間枠（たとえば、過去30分）に所定数（たとえば、100人）以上のユーザーからコンテンツ再生要求があった場合にのみ、コンテンツ再生を許可することが望ましい。また、ユーザーの要求が正当なものであるが、要求が所定数に至らない場合には、携帯情報端末（101）に対して所定の人数が集まるまで待つことを促すメッセージを表示することが望ましい。なお、図６のフローチャートでは、スマートタグ（102）のボタン押下により起動が行なわれる例が示されているが、第二の実施例と同様に、事前に設置済のビーコン装置（401）によって起動が行なわれるようにしてもよい。
【００４３】
本願発明の第三の実施例により、たとえば、アーティストグッズであるスマートタグ商品を購入したファンが所定の日時（たとえば、アーティストの誕生日）に、所定の場所（たとえば、デジタルサイネージ設置場所）に、所定の人数（たとえば、100人）以上集まった場合のみに、デジタル・サイネージでアーティストの特典映像を再生するといったイベントを実施することができる。ファンが多数集合することにより、イベントとしての楽しさが提供され、宣伝効果も上げられると共に、アーティストグッズ購入の動機付けにもなるため、従来技術では達成できない効果を実現できる。
【００４４】
代替の構成として、スマートタグ（102）に設けられた加速度センサーや音響センサーなどのセンサーを設け、センサーの読取り値が所定の値を超えたこと、または、所定の値を超えた状態が所定の期間以上続いたことをトリガーとしてコンテンツ再生を行なうようにしてもよい。たとえば、アーティストグッズとして販売した団扇やライトペン等を所定の人数以上で振り続けた場合に、デジタル・サイネージでアーティストの特典映像を再生するといったイベントを実施することができ、上記例と同様に、イベントとしての楽しさがと宣伝効果を提供することができる。
【００４５】
（本願発明による技術的に顕著な効果）
本願発明により、スマートタグを購入した特定のユーザー（たとえば、コンサートの来場客）が特定の場所に行った時に特定のコンテンツを特定の時間だけ視聴できるように制御することができる。汎用OSを稼働しないスマートタグにより制御を行なうため、携帯情報端末向けのアプリとして提供した場合と比較して、ユーザーによる不正行為が行なわれることがほとんどない。また、一般的なIDとパスワードによるアクセス制御と比較してユーザーに余分な作業を行なわせる必要がない。さらに、スマートタグにアーティストのロゴや写真等を記したアーティストグッズとすることにより、ユーザーの満足感を高めることができ、コンテンツ提供者は同等機能を携帯情報端末用アプリとして販売した場合と比較してはるかに高い対価を得ることができる。
【図１】
2020052461.tif 000003
【図２】
2020052461.tif 000004
【図３】
2020052461.tif 000005
【図４】
2020052461.tif 000006
【図５】
2020052461.tif 000007
【図６】
2020052461.tif 000008